(57)【要約】      （修正有）【課題】  遊技台に遊技台専用保護ボックスを被せ、遊技台搬送時の手間と時間を短縮し、遊技台の破損防止をする。【解決手段】  パチンコ台やスロットル台等の遊技台専用の保護ボックス１であって、下部が開放された５面からなる箱状のダンボール等本体の前面下部の一部が切り欠かれ４、前記ダンボール本体の前面内部と後面内側に緩衝材を設けると共に、前記ダンボール本体の左右両側面に持ち手用空間部と前記ダンボール本体の左右両側面又はどちらか一方の側面に遊技台固定用の折込み部２を形成されたことを特徴とする遊技台専用保護ボックス。【選択図】  図１
0003118181.tif 000002
【実用新案登録請求の範囲】
【請求項１】
パチンコ台やスロットル台等の遊技台専用の保護ボックスであって、下部が開放された５面からなる箱状の遊技台専用保護ボックス本体の前面下部の一部が切り欠かれ、前記本体の前面内部と後面内側に緩衝材を設けると共に、前記本体の左右両側面に持ち手用空間部持ち手用空間部と前記本体の左右両側面又はどちらか一方の側面に遊技台固定用の折込み部を形成されたことを特徴とする遊技台専用保護ボックス。
【考案の詳細な説明】
【技術分野】
【０００１】
本考案は、容易かつ安全に遊技台の搬送を行うための専用保護ボックスに関するものである。
【背景技術】
【０００２】
従来、遊技台を搬送する際、複数の遊技台の枠に木枠を渡し、釘打ちによって固定していた。
【考案の開示】
【考案が解決しようとする課題】
【０００３】
近年、遊技台は電子機器の多様、精密化により非常に衝撃に弱くなっている。そのため、輸送業者による搬送にも細心の注意を必要とし、台同士の接触による破損事故を防ぐため搬送時の遊技台の釘打ち固定はかかせなかった。しかし、従来の釘打ち固定は遊技台に釘跡の傷をつくるため遊技台の商品価値を低めるだけでなく、釘打ち・釘抜きの際に指を負傷するなどの危険性をともなっていた。また、釘打ち固定は、積込み及び積降し作業に負担が大きく、非効率的であった。なお、木枠・釘に関しては使い捨てとなるため経済的負担も大きく、広範囲の廃棄保管スペースも必要となった。
【課題を解決するための手段】
【０００４】
本校案は、上記の問題を解決するための、パチンコ台やスロットル台等の遊技台専用の保護ボックスであって、下部が開放された５面からなる箱状の遊技台専用保護ボックス本体の前面下部の一部が切り欠かれ、前記本体の前面内部と後面内側に緩衝材を設けると共に、前記本体の左右両側面に持ち手用空間部持ち手用空間部と前記本体の左右両側面又はどちらか一方の側面に遊技台固定用の折込み部を形成されたことを特徴とする遊技台専用保護ボックスを提供する。
【考案の効果】
【０００５】
本考案の遊技台専用保護ボックスは、個別に専用の保護ボックスを被せ、折込み部による固定をした事によって、搬送中の振動等の影響を受ける事がないよう手段を講じ、遊技台と遊技台専用保護ボックスとの接触部分には緩衝材を設けた事によって、台同士の接触等による破損事故を防止した。また、遊技台専用保護ボックスに切り欠き部及び持ち手用空間部を設け、それを用いて重心を支えながらの持ち運びを容易とした事によって、複数の遊技台を効率良く、安全かつ迅速に搬送出来るようにした。
【考案を実施するための最良の形態】
【０００６】
本校案は、パチンコ台やスロットル台等の遊技台専用の保護ボックスであって、下部が開放された５面からなる箱状の遊技台専用保護ボックス本体の前面下部の一部が切り欠かれ、前記本体の前面内部と後面内側に緩衝材を設けると共に、前記本体の左右両側面に持ち手用空間部持ち手用空間部と前記本体の左右両側面又はどちらか一方の側面に遊技台固定用の折込み部を形成している。
【実施例】
【０００７】
以下、添付図面を参照しながら本考案の実施の形態となる一実施例により説明する。
本考案にかかる遊技台専用保護ボックス本体１は、図３に示す前面部１ａと左側面部１ｃ、上辺に上面となる組込片１ｅを連結したダンボール等による片と図４に示す後面部１ｂと右側面部１ｄ、上辺に上面となる組込片１ｅを連結した同素材による片の２枚をのりしろ部６により組み合わせる事によって、図１のように下部の解放された５面からなる箱状の本体を完成する。
【０００８】
遊技台専用保護ボックス本体１は、ダンボール、樹脂加工のプラスチック、厚紙等の複数回の利用に必要充分な強度に加え、折りたたみを可能とする柔軟性を併せ持つ素材によって製作する。
【０００９】
遊技台専用保護ボックス本体１は、極端な破損等の場合を除き、平均４、５回の利用を可能とする素材を利用し、ごみや経済的負担の軽減にも配慮する。
【００１０】
さらに、保管時は、遊技台専用保護ボックス本体１を折りたたむ事により場所を取らず、使用時には折りたたまれた状態から、広げて遊技機に被せるという手順のみで使用可能となるため、従来の釘打ち固定のような特別な技術を必要とせず、釘打ちや釘抜き等の作業も不要なため、安全かつ迅速な作業を可能とする。
【００１１】
折込み部２は、遊技機に遊技台専用保護ボックス本体１を被せた後、中の遊技台を固定するために、遊技台専用保護ボックス本体左側面部１ｃ及び右側面部１ｄに約５センチ四方の正方形の切込みを内部に折込むように設ける。
【００１２】
折込み部２は、遊技台専用保護ボックス本体左側面部１ｃ及び右側面部１ｄに２カ所ずつの合計４カ所を基本とし、縦位置は上辺より約１０センチ程度の位置と上辺より約３０センチ程度の位置に、横位置は遊技台専用保護ボックス本体左側面部１ｃ及び右側面部１ｄの上下各折込み部２が遊技台の枠を挟み込むように、各遊技台の枠幅の規格に合わせて決定する。
【００１３】
折込み部２によって、遊技台を固定する事により、  搬送時、搬送前の積込み及び積降し作業時等の遊技台同士の接触や振動による破損、ずれ等を防止する。
【００１４】
緩衝材３は、膜で空気を円柱状に包み込んだ多数の気泡をシート状にしたポリエチレンやウレタン、スポンジ等のクッション素材によって製作する。
【００１５】
また、緩衝材３を、遊技台を装飾しているプラスチック製の部材や精密機器である液晶、基盤等の損傷しやすい部分と遊技台専用保護ボックス本体前面部１ａ及び後面部１ｂとの接触部に装着することにより、搬送時の遊技台同士の接触や振動の衝撃を吸収し、破損等を防止する。
【００１６】
遊技台に遊技台専用保護ボックス本体１を被せた状態でも、搬送前の積込み及び積降し、保管倉庫内での移動作業等が可能となるよう、遊技台専用保護ボックス本体前面部１ａ下部に、切り欠き部４を設け、遊技台専用保護ボックス本体右側面部１ｄに縦辺約１４センチ程度、横辺約８センチ程度の長方形の持ち手用空間部５を設ける。それらの空間から、直接遊技台の底面重心部と側面を両手で支える事によって、安定した持ち運びを可能とする。
【図面の簡単な説明】
【００１７】
【図１】本考案の遊技台専用保護ボックスの一実施例を示す左斜め前方図
【図２】本考案の遊技台専用保護ボックスの一実施例を示す右斜め後方図
【図３】本考案の遊技台専用保護ボックスの一実施例を示す正面展開図
【図４】本考案の遊技台専用保護ボックスの一実施例を示す後面展開図
【符号の説明】
【００１８】
１  遊技台専用保護ボックス本体
１ａ  遊技台専用保護ボックス本体前面部
１ｂ  遊技台専用保護ボックス本体後面部
１ｃ  遊技台専用保護ボックス本体左側面部
１ｄ  遊技台専用保護ボックス本体右側面部
１ｅ  遊技台専用保護ボックス本体組込片
２  折込み部
３  緩衝材
４  切り欠き部
５  持ち手用空間部
６  のりしろ部
【図１】
0003118181.tif 000003
【図２】
0003118181.tif 000004
【図３】
0003118181.tif 000005
【図４】
0003118181.tif 000006